(57)【特許請求の範囲】
【請求項１】
断面形状が画一である長尺状の収納本体の側面に、サイドキャップが取り付けられた収納部材であって、サイドキャップはキャップ本体とキャップカバーとからなり、キャップ本体は収納本体の側面に取付体によって取り付けられ、キャップカバーは取付体の表面が外部に露出しないように、キャップ本体に固定されていることを特徴とする収納部材。
【請求項２】
請求項１記載の収納部材であって、キャップカバーは係合部を備え、キャップ本体に取り外し可能に嵌め込み固定されていることを特徴とする収納部材。
【請求項３】
請求項２記載の収納部材であって、キャップカバーをキャップ本体から取り外すときに利用する欠取り部が、キャップ本体に形成されていることを特徴とする収納部材。
【請求項４】
請求項３記載の収納部材であって、キャップ本体の欠取り部の外側は、キャップカバーで覆われていることを特徴とする収納部材。
【請求項５】
請求項３または４記載の収納部材であって、収納本体に凹部が形成されており、キャップ本体の欠取り部の内側と、収納本体の凹部が対応する位置にあることを特徴とする収納部材。
【請求項６】
側板と背板と底板と前面部で区画される収納部を備えたキャビネットであって、請求項１から５のいずれかに記載の収納部材が、前面部に取り付けられていることを特徴とするキャビネット。
【発明の詳細な説明】
【技術分野】
【０００１】
本発明は、収納部材及びその収納部材が取り付けられたキャビネットに関し、特に、押し出し成形された収納部材の収納本体の側面を、サイドキャップ本体とキャップカバーから成るサイドキャップで塞ぎ、欠取り部でキャップカバーを取り外し可能とする構造の収納部材及びその収納部材が取り付けられたキッチン等のキャビネットに関する。
【背景技術】
【０００２】
従来、キッチンのシンク部前方であって天板下に補助的な収納部を設ける構成は、知られている。例えば、流し台の前方に収納兼サポート用幕板が配設された構成が知られている（特許文献１参照）。
【０００３】
厨房装置のキャビネットの前面板に中空部を形成して収納部とし、上部を前方に突出したものが知られている（特許文献２参照）。洗面ユニットの収納部の扉に、斜面を有する小物収納部を一体的に設けたものが知られている（特許文献３参照）。さらに、洗面化粧台の幕前板部を開閉自在な蓋体と、蓋体を支持する支持部とで構成したものとが知られている（特許文献４参照）。
【０００４】
さらに、合成樹脂成形品としての幕板本体の端部に、係止突起によりエンドキャップを固定した構成が知られている（特許文献５参照）。
【０００５】
【特許文献１】特開２００７−１６２号公報
【特許文献２】特開２００６−２７１７８３号公報
【特許文献３】実公昭６１−６８６０号公報
【特許文献４】実開平１−９９２８７号公報
【特許文献５】実開昭６２−１９０５３６号公報
【発明の開示】
【発明が解決しようとする課題】
【０００６】
上記従来例（特許文献１〜４）は、あくまでも、天板下に収納部を設ける構成であり、それ以上収納スペースをより拡大して利用することは難しい。本発明は、収納部を天板下だけではなく、さらに前方の空間を活用して、収納量を拡大し、使い勝手の良い収納を可能とする収納部材について、押し出し成形等により断面形状が画一である収納部材の側面に簡単に装着することができ、そのキャップカバーにより、サイドキャップの固定部等を露出しないようにする収納部材を実現することを課題とする。
【課題を解決するための手段】
【０００７】
本発明は上記課題を解決するために、断面形状が画一である長尺状の収納本体の側面に、サイドキャップが取り付けられた収納部材であって、サイドキャップはキャップ本体とキャップカバーとからなり、キャップ本体は収納本体の側面に取付体によって取り付けられ、キャップカバーは取付体の表面が外部に露出しないように、キャップ本体に固定されていることを特徴とする収納部材を提供する。
【０００８】
上記収納部材のキャップカバーは係合部を備え、キャップ本体に取り外し可能に嵌め込み固定されている構成としてもよい。
【０００９】
上記収納部材は、キャップカバーをキャップ本体から取り外すときに利用する欠取り部が、キャップ本体に形成されている構成としてもよい。
【００１０】
上記収納部材は、キャップ本体の欠取り部の外側を、キャップカバーで覆われている構成としてもよい。
【００１１】
上記収納部材の収納本体に凹部が形成されており、キャップ本体の欠取り部の内側と、収納本体の凹部が対応する位置にある構成としてもよい。
【００１２】
側板と背板と底板と前面部で区画される収納部を備えたキャビネットを、上記収納部材が、前面部に取り付けられている構成としてもよい。
【発明の効果】
【００１３】
本発明の収納部材によれば、収納本体の側面に、キャップ本体とキャップカバーとから成るサイドキャップを、簡単に装着することができ、そのキャップカバーにより、サイドキャップの固定部等を露出しないようにすることができるから、見栄えを損なうことがない。
【発明を実施するための最良の形態】
【００１４】
本発明に係る収納部材及びその収納部材を取り付けたキャビネットを実施するための最良の形態を実施例に基づき図面を参照して、以下説明する。
【実施例】
【００１５】
本発明に係る収納部材及びその収納部材を取り付けたキャビネットの実施例を、図１〜４において説明する。本発明の収納部材１を取り付けたキャビネット２は、図１（ａ）に示すように、天板３の下方に収納部が設けられている。この収納部は、収納部材１に対して主収納部として機能するものである。
【００１６】
本発明の実施例では、収納部として引き出し収納部４を備えている。この引き出し収納部４は、図１（ｂ）に示すように、前面部５、左右両側の側板６、底板７及び背板（図示せず。）とを備えている。そして、収納部材１は、天板３の下方で引き出し収納部４の前側に位置するように設けられる。この収納部材１は、引き出し収納部４の前面部５の上部に、少なくともその一部が、天板３の前端より前方に位置するように取り付けられている。
【００１７】
収納部材１は、引き出し収納部４と連通し、一体の収納スペースを形成している。この実施例では、図１（ａ）、（ｂ）に示すように、収納部材１は、収納本体８と、この収納本体８の長手方向の両端部のそれぞれの側面１０（図２参照）に嵌め込み固定されるサイドキャップ９とから成る。
【００１８】
収納本体８は、引き出し収納部４と同じ左右方向の横幅を有する長尺状の部材であり、押し出し成形により断面形状が画一に形成されており、その長手方向の両端部のそれぞれの側面１０は開口している。収納本体８の一端から長手方向に一部を切り取った部分の斜視図を図２（ａ）に示し、また、側面図を図２（ｂ）に示す。この図２（ａ）、（ｂ）に示すように、収納本体８は、前面壁１１と、前面壁１１の下部に連成する傾斜壁１２と、傾斜壁１２の下部に連成する底壁１３と、背面壁１４とを備えている。
【００１９】
前面壁１１の側面１０の上部には、ビス孔１５が形成されている。底壁１３の側面１０にもビス孔１６が形成されている。また、底壁１３の下部には、下方に向けて凹部１７が形成されている。この凹部１７は、収納部材１の左右方向の横幅方向の全長にわたって、凹状の溝として形成されており、引き出し収納部４の取手として機能し、引き出し収納部４及び収納本体８を前方に引くときに使用者が手を掛けることができる。
【００２０】
背面壁１４は、引き出し収納部４の前面部５の前面にネジ止めされて固定され、これにより、収納部材１が引き出し収納部４の前面部５に取り付けられる。背面壁１４の上端は、底壁１３より若干上方に位置するように形成されている。
【００２１】
サイドキャップ９は、キャップ本体１８（図３（ａ）〜（ｃ）参照）とキャップカバー１９（図４参照）とから成る。キャップ本体１８は、収納部材１の長手方向の両端部のそれぞれの側面１０に当接して取り付けられ、収納部材１の長手方向の両端部における開口を閉じるものである。キャップカバー１９は、キャップ本体１８をカバーするように外側から嵌め込み固定されるものである。
【００２２】
キャップ本体１８は、図３（ａ）に示すような平面形状の板材から成る。収納本体８の長手方向端部が当接する部分は、図３（ａ）、（ｃ）に示すように、若干、厚みが薄い薄肉部２０として形成されている。この薄肉部２０の上部及び下部には、収納部材１のビス孔１５、１６に対応して、それぞれビス孔２１、２２が形成されている。キャップ本体１８の頂部には、図３（ｂ）に示すように、前後方向に適宜長さを有する断面クランク状に形成された係止爪２３が形成されている。
【００２３】
また、キャップ本体１８の下縁部には凹状の欠取り部２４が形成されている。この欠取り部２４は、キャップ本体１８を収納部材１の端部に固定した際に、その内側において底壁１３の凹部１７に対応した位置に形成されている。
【００２４】
キャップカバー１９は、図４（ａ）〜（ｃ）に示すような形状をしており、収納部材１の端部及びキャップ本体１８に対して外側から嵌め込み固定されるように、側部２５、前部２６、背部２７、底部２８及び頂部２９が、一体に形成されている。上面視では、頂部２９は、後方に向けて拡大するようにテーパ状に形成されている。
【００２５】
キャップカバー１９の頂部２９の下面には、キャップ本体１８の係止爪２３が係入される二条の係合片３０（係合部）が突設されている。また、キャップカバー１９の底部２８の上面には、前側の一対の前部係合突起３１（係合部）と後側の一対の後部係合突起３１’（係合部）が突設されている。
【００２６】
一対の前部係合突起３１（係合部）と一対の後部係合突起３１’（係合部）には、それぞれキャップ本体１８の下縁部３２（図３（ａ）、（ｃ）参照）が係入されるように構成されている。また、前部係合突起３１（係合部）と後部係合突起３１’（係合部）との間の隙間３３は、キャップ本体１８の下縁部３２に形成された凹状の欠取り部２４（図３（ａ）、（ｃ）参照）に、位置的に対応するように形成されている。
【００２７】
図１（ａ）、（ｂ）に示すように、収納部材１の上方であって天板３の下方に、キャビネット２の左右両側の側板６の前端から前方に張り出し、収納部材１の上面開口を閉じるサポートバー３４が設けられている。
【００２８】
このサポートバー３４は、水平部３５と凭れ部３６とから成る。水平部３５の基端部がキャビネット２の両側の左右の側板３７に固定され、サポートバー３４がキャビネット２に取り付けられている。サポートバー３４は、収納部材１の上面開口を閉じるとともに、使用者が凭れることのできる凭れバーとしての二つの機能を有する。
【００２９】
（作用）
以上の構成から成る本発明に係る収納部材１のキャビネット２の作用を説明する。収納本体８の背面壁１４を引き出し収納部４の前面部５にねじ止めして取り付ける。収納本体８の長手方向の両端部における開口にサイドキャップ９を取り付けるには、次のようにして行う。
【００３０】
キャップ本体１８の薄肉部２０に収納本体８の側面１０が当接するようにして、キャップ本体１８を側面１０に、取付体（固定具）であるビスで固定する。これにより、キャップ本体１８で、収納本体８の長手方向の両端部における開口を閉じることができる。
【００３１】
次に、キャップカバー１９を、キャップ本体１８及び収納本体８の端部に嵌め込み固定する。これは、キャップカバー１９の頂部２９の二条の係合片３０（係合部）の間に、キャップ本体１８の係止爪２３を係入してから、キャップカバー１９の下部を若干、下方に拡げて、その前部係合突起３１（係合部）と後部係合突起３１’（係合部）のそれぞれに、キャップ本体１８の下縁部３２を係合するようにして、キャップカバー１９をキャップ本体１８及び収納本体８の端部に嵌め込み固定することにより行われる。
【００３２】
図３（ｄ）は、サイドキャップ９（キャップカバー１９及びキャップ本体１８）を、収納本体８の端部に嵌め込んだ状態の断面図を示す。このようにキャップカバー１９をキャップ本体１８及び収納本体８の端部に嵌め込み固定すると、キャップ本体１８のビス固定箇所、底壁１３の凹部１７、係止爪２３等が、側方から見て、キャップカバー１９で覆われて露出しないので見栄えがよくなる。
【００３３】
キャップカバー１９を取り外すときには、底壁１３の凹部１７からドライバー等の工具の先端を差込み、キャップ下縁部３２の凹状の欠取り部２４を通して、前部係合突起３１（係合部）と後部係合突起３１’（係合部）の間の部分に工具の先端を掛けて下方に押し下げる。すると、キャップカバー１９が拡開して、キャップ本体１８の下縁部３２と、前部係合突起３１（係合部）及び後部係合突起３１’（係合部）との係合を解除することができる。
【００３４】
さらに、キャップ本体１８の係止爪と、キャップカバー１９の頂部２９の二条の係合片３０（係合部）との係合をはずし、キャップカバー１９をキャップ本体１８からとりはずすことができる。また、必要に応じて、キャップ本体１８は、取付体（固定具）であるビスをはずすことで収納本体８からとりはずすこともできる。
【００３５】
なお、収納部材１及び引き出し収納部４が閉じた状態から収納部材１を開く時は、使用者は、取手として機能する底壁の凹部１７に手先をかけて前方に引き出す。サポートバー３４で閉じられた収納部材１の上部開口が、開いた状態となる。また、使用者は収納部材１に物品を収納したり、収納されていた物品を取り出すことができる。さらに、凹部１７に手先をかけて前方に引き出せば、引き出し収納部４も開くことができる。
【００３６】
以上、本発明に係る収納部材及びキャビネットを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００３７】
本発明に係る収納部材及びキャビネットは、上記のような構成であるから、キッチンのキャビネットだけでなく、洗面用のキャビネット、作業用のキャビネット等、収納部を備えたキャビネットに適用可能である。
【図面の簡単な説明】
【００３８】
【図１】本発明に係る収納部材及びキャビネットの実施例の構成を説明する図であり、（ａ）はキャビネットの斜視図であり、（ｂ）は要部の斜視図である。
【図２】本発明に係る収納部材の収納本体を説明する図であり、（ａ）は一端から長手方向に適宜長さで一部を切り取った部分の斜視図であり、（ｂ）は収納部材の収納本体の側面図である。
【図３】（ａ）は本発明に係るキャップ本体を収納本体側から見た図であり、（ｂ）は（ａ）のＡ−Ａ断面図を示し、（ｃ）は、キャップ本体の斜視図であり、（ｄ）は収納本体にサイドキャップを装着した状態における断面図である。
【図４】（ａ）は本発明に係るキャップカバーの収納本体側から見た図であり、（ｂ）、（ｃ）は、それぞれキャップカバーの斜視図である。
【符号の説明】
【００３９】
１  収納部材                                  
２  キャビネット                              
３  天板                                      
４  引き出し収納部                            
５  前面部                                    
６  左右両側の側板                            
７  底板                                      
８  収納本体                                  
９  サイドキャップ                            
１０  収納本体の両端部の側面                  
１１  前面壁                                  
１２  傾斜壁                                  
１３  底壁                                    
１４  背面壁                                  
１５、１６  ビス孔                              
１７  底壁の凹部                              
１８  キャップ本体                            
１９  キャップカバー                          
２０  キャップ本体の薄肉部                  
２１、２２  キャップ本体のビス孔                
２３  キャップ本体の係止爪                    
２４  欠取り部                      
２５  キャップカバー の側部                   
２６  前部                                    
２７  背部                                    
２８  底部                                    
２９  頂部                                    
３０  キャップカバー頂部の二条の係合片（係合部）              
３１  前部係合突起 （係合部）                           
３１’  後部係合突起 （係合部）                           
３２  キャップ本体の下縁部                      
３３  前部係合突起と後部係合突起との隙間        
３４  サポートバー                              
３５  水平部                                    
３６  凭れ部
３７  キャビネットの側板                                    
【図１】
0005088124.tif 000002
【図２】
0005088124.tif 000003
【図３】
0005088124.tif 000004
【図４】
0005088124.tif 000005